【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
記録ヘッドを用いて記録媒体上にドットを形成可能な記録装置に入力される記録データを解析するための画像解析装置であって、
前記記録装置による記録動作の前に、前記記録データに基づいて形成されるべき記録ドット数を算出する記録ドット数算出手段と、
前記記録ドット数から前記記録装置のランニングコストを算出するランニングコスト算出手段および／または前記記録ドット数から前記記録ヘッドの寿命を推測するヘッド寿命推測手段と、
を備えることを特徴とする画像解析装置。
【請求項２】
前記記録ドット数算出手段は、前記記録データからドットの形成および非形成に対応する２値のビット情報に変換する変換部と、ドットの形成に対応する前記ビット情報の数をカウントするカウント部と、を含むことを特徴とする請求項１に記載の画像解析装置。
【請求項３】
前記ランニングコスト算出手段は、所定単位の記録媒体に対して形成される前記記録ドット数分の記録剤の価格と、前記所定単位の記録媒体の価格と、を含めて、前記所定単位の記録媒体当たりのランニングコストを算出することを特徴とする請求項１または２に記載の画像解析装置。
【請求項４】
前記ランニングコスト算出手段は、前記所定単位の記録媒体に対して形成される前記記録ドット数に、１ドットを形成するための記録剤の値段を乗算することによって、前記所定単位の記録媒体に対して形成される前記記録ドット数分の記録剤の価格を算出することを特徴とする請求項３に記載の画像解析装置。
【請求項５】
前記ランニングコスト算出手段は、少なくとも人件費または電気代の一方をも含めてランニングコストを算出することを特徴とする請求項３または４に記載の画像解析装置。
【請求項６】
前記ヘッド寿命推測手段は、前記記録ヘッドが正常にドットを形成できる限界までの記録限界ドット数と、前記記録ドット数の累積数と、に基づいて前記記録ヘッドの寿命を推測することを特徴とする請求項１から５のいずれかに記載の画像解析装置。
【請求項７】
前記ヘッド寿命推測手段は、前記記録ドット数の累積数が前記記録限界ドット数に達するまでに記録可能な前記記録媒体の記録限界枚数を算出し、前記記録媒体の１枚ずつの記録動作毎に、前記記録限界枚数から前記記録媒体の記録枚数の累積数を減算した枚数に基づいて、前記記録ヘッドの寿命を推測することを特徴とする請求項６に記載の画像解析装置。
【請求項８】
前記ヘッド寿命推測手段は、前記記録ドット数の累積数が前記記録限界ドット数に達するまでに記録可能な前記記録媒体の記録限界枚数を算出し、前記記録媒体の所定部数の記録動作毎に、前記記録限界枚数から前記記録媒体の記録枚数の累積数を減算した枚数に基づいて、前記記録ヘッドの寿命を推測することを特徴とする請求項６に記載の画像解析装置。
【請求項９】
前記ヘッド寿命推測手段は、前記記録ドット数の累積数が前記記録限界ドット数に達するまでに記録可能な前記記録媒体の記録限界枚数を算出し、前記記録媒体の１枚ずつの記録動作毎に、前記記録媒体の記録枚数の累積数が前記記録限界枚数に達するときを基準として、前記記録ヘッドの寿命を推測することを特徴とする請求項６に記載の画像解析装置。
【請求項１０】
前記ヘッド寿命推測手段は、前記記録ドット数の累積数が前記記録限界ドット数に達するまでに記録可能な前記記録媒体の記録限界枚数を算出し、前記記録媒体の所定部数の記録動作毎に、
前記記録媒体の記録枚数の累積数が前記記録限界枚数に達するときを基準として、前記記録ヘッドの寿命を推測することを特徴とする請求項６に記載の画像解析装置。
【請求項１１】
前記ヘッド寿命推測手段は、前記記録限界ドット数を前記記録媒体１枚単位の記録ドット数で除算することによって、前記記録限界枚数を算出することを特徴とする請求項を７から１０のいずれかに記載の画像解析装置。
【請求項１２】
前記ヘッド寿命推測手段は、前記記録媒体の所定部数の記録動作毎において、記録終了時または記録開始時に前記記録ヘッドの寿命を推測することを特徴とする請求項８または１０に記載の画像解析装置。
【請求項１３】
前記ヘッド寿命推測手段は、前記記録動作の記録開始時に前記記録ヘッドの寿命を推測したときに、前記記録動作が完了しなかったら前記記録媒体の累積数を前記記録動作の前の累積数に戻すことを特徴とする請求項１２に記載の画像解析装置。
【請求項１４】
前記ヘッド寿命推測手段は、前記記録媒体の１枚ずつの記録動作毎に、前記記録限界ドット数から前記記録ドット数の累積数を減算したドット数に基づいて、前記記録ヘッドの寿命を推測することを特徴とする請求項６に記載の画像解析装置。
【請求項１５】
前記ヘッド寿命推測手段は、前記記録媒体の所定部数の記録動作毎に、前記記録限界ドット数から前記記録ドット数の累積数を減算したドット数に基づいて、前記ヘッドの寿命を推測することを特徴とする請求項６に記載の画像解析装置。
【請求項１６】
前記ヘッド寿命推測手段は、前記記録媒体の１枚ずつの記録動作毎に、前記記録ドット数の累積数が前記記録限界ドット数に達するときを基準として、前記記録ヘッドの寿命を推測することを特徴とする請求項６に記載の画像解析装置。
【請求項１７】
前記ヘッド寿命推測手段は、前記記録媒体の所定部数の記録動作毎に、前記記録ドット数の累積数が前記記録限界ドット数に達するときを基準として、前記記録ヘッドの寿命を推測することを特徴とする請求項６に記載の画像解析装置。
【請求項１８】
前記ヘッド寿命推測手段は、前記記録媒体の所定部数の記録動作毎において、記録終了時または記録開始時に前記記録ヘッドの寿命を推測することを特徴とする請求項１５または１７に記載の画像解析装置。
【請求項１９】
前記ヘッド寿命推測手段は、前記記録動作の記録開始時に前記記録ヘッドの寿命を推測したときに、前記記録動作が完了しなかったら前記記録ドット数の累積数を前記記録動作の前の累積数に戻すことを特徴とする請求項１８に記載の画像解析装置。
【請求項２０】
前記記録ヘッドは、インクを吐出可能なインクジェット記録ヘッドであることを特徴とする請求項１から１９のいずれかに記載の画像解析装置。
【請求項２１】
ホスト装置から入力した記録データに基づき、記録装置が記録ヘッドを用いて記録媒体にドットを形成する画像記録システムにおいて、
請求項１から２０のいずれかに記載の画像解析装置を前記ホスト装置または前記記録装置のいずれかに備えたことを特徴とする画像記録システム。
【請求項２２】
記録ヘッドを用いて記録媒体上にドットを形成可能な記録装置に入力される記録データを解析するための画像解析方法であって、
前記記録装置による記録動作の前に、前記記録データに基づいて形成されるべき記録ドット数を算出する工程と、
前記記録ドット数から前記記録装置のランニングコストを算出するランニングコスト算出工程および／または前記記録ドット数から前記記録ヘッドの寿命を推測する工程と、
を含むことを特徴とする画像解析方法。
【手続補正２】
【補正対象書類名】明細書
【補正対象項目名】発明の名称
【補正方法】変更
【補正の内容】
【発明の名称】画像解析装置、画像記録システム、および画像解析方法
【手続補正３】
【補正対象書類名】明細書
【補正対象項目名】０００１
【補正方法】変更
【補正の内容】
【０００１】
本発明は、記録装置に入力される記録データを解析する画像解析装置、画像記録システム、および画像解析方法に関するものである。
【手続補正４】
【補正対象書類名】明細書
【補正対象項目名】０００５
【補正方法】変更
【補正の内容】
【０００５】
本発明の目的は、記録データに基づくドットの形成前に、形成すべきドットの数を算出して対処することができる画像解析装置、画像記録システム、および画像解析方法を提供することにある。
【手続補正５】
【補正対象書類名】明細書
【補正対象項目名】０００８
【補正方法】削除
【補正の内容】